(57)【要約】【課題】ドレン水を効率良く蒸発させることができるドレン水蒸発装置を提供することを目的とする。【解決手段】ドレン水蒸発装置は、蒸発皿と、蒸発皿上であってドレン水の滴下位置に設置される蒸発板と、を備え、蒸発板は、第１平板部と、鉛直方向に見て第１平板部の少なくとも一部と重なるように第１平板部の上方に配置された第２平板部と、を有しており、第１平板部は、蒸発皿の底部に接触する第１端辺と、第１端辺よりも高い高さに配置された第２端辺と、を有しており、第２平板部は、第２端辺に接続された第３端辺と、第３端辺と同じ高さ又は第３端辺よりも高い高さに配置された第４端辺と、を有している。【選択図】図２
2018087659.tif 000002
【特許請求の範囲】
【請求項１】
蒸発皿と、
前記蒸発皿上であってドレン水の滴下位置に設置される蒸発板と、を備え、
前記蒸発板は、第１平板部と、鉛直方向に見て前記第１平板部の少なくとも一部と重なるように前記第１平板部の上方に配置された第２平板部と、を有しており、
前記第１平板部は、前記蒸発皿の底部に接触する第１端辺と、前記第１端辺よりも高い高さに配置された第２端辺と、を有しており、
前記第２平板部は、前記第２端辺に接続された第３端辺と、前記第３端辺と同じ高さ又は前記第３端辺よりも高い高さに配置された第４端辺と、を有しているドレン水蒸発装置。
【請求項２】
前記第２平板部には、当該第２平板部を厚み方向に貫通した開口部が形成されている請求項１に記載のドレン水蒸発装置。
【請求項３】
前記蒸発板は、第３平板部と、鉛直方向に見て前記第３平板部の少なくとも一部と重なるように前記第３平板部の上方に配置された第４平板部と、をさらに有しており、
前記第３平板部は、前記蒸発皿の底部に接触する第５端辺と、前記第５端辺よりも高い高さに配置された第６端辺と、を有しており、
前記第４平板部は、前記第６端辺に接続された第７端辺と、前記第７端辺よりも高い高さに配置された第８端辺と、を有しており、
前記第１平板部及び前記第３平板部は、前記第１平板部及び前記第３平板部の少なくとも一方に形成された第１スリットを介して互いに交差しており、
前記第２平板部及び前記第４平板部は、前記第２平板部及び前記第４平板部の少なくとも一方に形成された第２スリットを介して互いに交差している請求項１又は請求項２に記載のドレン水蒸発装置。
【請求項４】
前記蒸発板を支持する支持部材をさらに備え、
前記支持部材は、前記蒸発板よりも親水性の低い材質で形成されている請求項１〜請求項３のいずれか一項に記載のドレン水蒸発装置。
【発明の詳細な説明】
【技術分野】
【０００１】
本発明は、ドレン水を蒸発させるドレン水蒸発装置に関するものである。
【背景技術】
【０００２】
特許文献１には、蒸発皿を備える低温ショーケースが記載されている。この低温ショーケースの蒸発皿には、毛細管作用により蒸発皿のドレン水を吸い上げる蒸発板が設けられている。蒸発板に吸い上げられたドレン水は、凝縮器用送風機によって通風される高温の排気によって強制的に蒸発する。
【先行技術文献】
【特許文献】
【０００３】
【特許文献１】特開平１０−３１８６６２号公報
【発明の概要】
【発明が解決しようとする課題】
【０００４】
しかしながら、特許文献１に記載の構成では、経年劣化等により蒸発板の吸水性が低下すると、蒸発皿のドレン水が蒸発板に吸い上げられなくなる。これにより、ドレン水を効率良く蒸発させることができなくなるため、ドレン水が蒸発皿からあふれてしまうおそれがあるという課題があった。
【０００５】
本発明は、上述のような課題を解決するためになされたものであり、ドレン水を効率良く蒸発させることができるドレン水蒸発装置を提供することを目的とする。
【課題を解決するための手段】
【０００６】
本発明に係るドレン水蒸発装置は、蒸発皿と、前記蒸発皿上であってドレン水の滴下位置に設置される蒸発板と、を備え、前記蒸発板は、第１平板部と、鉛直方向に見て前記第１平板部の少なくとも一部と重なるように前記第１平板部の上方に配置された第２平板部と、を有しており、前記第１平板部は、前記蒸発皿の底部に接触する第１端辺と、前記第１端辺よりも高い高さに配置された第２端辺と、を有しており、前記第２平板部は、前記第２端辺に接続された第３端辺と、前記第３端辺と同じ高さ又は前記第３端辺よりも高い高さに配置された第４端辺と、を有している。
【発明の効果】
【０００７】
本発明によれば、滴下されたドレン水は、蒸発板の少なくとも第２平板部及び第１平板部を通って蒸発皿に達する。したがって、滴下されたドレン水が蒸発皿に達するまでの時間を長くすることができるため、蒸発板の吸水性が低下したとしてもドレン水を効率良く蒸発させることができる。
【図面の簡単な説明】
【０００８】
【図１】本発明の実施の形態１に係るドレン水蒸発装置１を備える冷凍サイクル装置の要部構成を模式的に示す図である。
【図２】本発明の実施の形態１に係るドレン水蒸発装置１の構成を示す断面図である。
【図３】本発明の実施の形態１に係るドレン水蒸発装置１の支持部材３０の一部の構成を示す斜視図である。
【図４】本発明の実施の形態２に係るドレン水蒸発装置１の構成を示す断面図である。
【図５】本発明の実施の形態３に係るドレン水蒸発装置１の構成を示す断面図である。
【図６】本発明の実施の形態３に係るドレン水蒸発装置１の蒸発板２０における平板部２１及び平板部４１の構成を示す上面図である。
【図７】本発明の実施の形態３に係るドレン水蒸発装置１の支持部材３３の一部の構成を示す斜視図である。
【発明を実施するための形態】
【０００９】
実施の形態１．
本発明の実施の形態１に係るドレン水蒸発装置について説明する。本実施の形態に係るドレン水蒸発装置は、冷凍サイクル装置の熱交換器で生じるドレン水を蒸発させるものである。ドレン水蒸発装置を備える冷凍サイクル装置としては、例えば、スーパーマーケット等の店舗に設置されるショーケース等がある。
【００１０】
図１は、本実施の形態に係るドレン水蒸発装置１を備える冷凍サイクル装置の要部構成を模式的に示す図である。なお、明細書中における各構成部材同士の位置関係（例えば、上下関係等）は、原則として、ドレン水蒸発装置１及びそれを備える冷凍サイクル装置が使用可能な状態に設置されたときのものである。図１に示すように、冷凍サイクル装置は、冷媒の蒸発熱を外部から吸熱することにより冷却器として機能する熱交換器１０１を有している。熱交換器１０１の温度が０℃以下になる場合には、熱交換器１０１の表面に付着した霜を融解させるための除霜運転が、例えば数時間に１回程度の頻度で定期的に行われる。この場合、熱交換器１０１では、霜の融解により所定量のドレン水が除霜運転の度に発生する。
【００１１】
熱交換器１０１の下方には、熱交換器１０１からのドレン水を受けるドレンパン１０２が設けられている。ドレンパン１０２の底部には、ドレンパン１０２内のドレン水を排水する排水口１０３が形成されている。排水口１０３には、ドレンホース１０４が接続されている。ドレンパン１０２から排水されたドレン水は、ドレンホース１０４の内部を流通し、ドレンホース１０４の出口１０４ａから下方に滴下される。ドレンホース１０４の出口１０４ａの真下には、滴下されたドレン水を蒸発させるドレン水蒸発装置１が配置されている。ドレン水蒸発装置１には、送風機によって、ドレン水の蒸発を促進する空気（例えば、圧縮機又は凝縮器を冷却した後の温風）が供給されるようにしてもよい。
【００１２】
図２は、本実施の形態に係るドレン水蒸発装置１の構成を示す断面図である。図２に示すように、ドレン水蒸発装置１は、ドレン水を溜める蒸発皿１０と、蒸発皿１０上に設置された蒸発板２０と、蒸発板２０を支持する支持部材３０、３１と、を有している。
【００１３】
蒸発板２０は、ドレン水１１０が滴下される位置（例えば、図１に示したドレンホース１０４の出口１０４ａの真下）に配置されている。蒸発板２０は、不織布又は多孔質体などの吸水性を有する材質で形成されている。蒸発板２０は、一方向に長い平板状の部材が複数の角部で鋭角に折り曲げられた蛇腹状の形状を有している。蒸発板２０は、蛇腹の山同士の隣接方向が上下方向となるように縦向きに配置されている。蒸発板２０の下端部は、蒸発皿１０の底部１１に接触している。蒸発板２０は、表面張力により蒸発皿１０からドレン水を吸い上げる機能と、滴下されたドレン水１１０を蛇行させながら重力に従って徐々に蒸発皿１０に導く機能と、を有している。
【００１４】
蒸発板２０は、鉛直方向に見て互いに重なるように配置された複数の平板部２１、２２、２３、２４、２５、２６、２７を有している。平板部２１、２２、２３、２４、２５、２６、２７は、下方から上方に向かってこの順に配列している。平板部２１、２２、２３、２４、２５、２６、２７のそれぞれは、長方形平板状の形状を有している。平板部２１、２２、２３、２４、２５、２６、２７は、滴下されたドレン水１１０が平板部２７、２６、２５、２４、２３、２２、２１をこの順に蛇行して導かれるように、いずれも水平面に対して傾斜している。平板部２１、２３、２５、２７は、図２中の左側が低くなるように水平面に対して鋭角に傾斜しており、平板部２２、２４、２６は、図２中の右側が低くなるように水平面に対して鋭角に傾斜している。すなわち、隣接する２つの平板部は、水平面に対して互いに逆向きに傾斜している。また、隣接する２つの平板部同士は、鋭角の角部を介して接続されている。これにより、隣接する２つの平板部のうち上方に位置する平板部の下面は、下方に位置する平板部の上面と対面する。なお、隣接する２つの平板部同士が鋭角の角部を介して接続されていれば、一部の平板部は水平に配置されていてもよい。例えば、平板部２１、２３、２５、２７が水平面に対して傾斜している場合、平板部２２、２４、２６は水平に配置されていてもよい。
【００１５】
最も下方に配置されている平板部２１（第１平板部の一例）は、蒸発皿１０の底部１１に接触する端辺２１ａ（第１端辺の一例）と、端辺２１ａよりも高い高さに配置された端辺２１ｂ（第２端辺の一例）と、を有している。滴下されたドレン水１１０の流れにおいて、端辺２１ａは平板部２１の下流端に位置し、端辺２１ｂは平板部２１の上流端に位置している。平板部２１は、端辺２１ａ側が低くなるように傾斜している。端辺２１ａは、蒸発板２０の下端部となる。
【００１６】
平板部２２（第２平板部の一例）は、平板部２１の端辺２１ｂに接続された端辺２２ａ（第３端辺の一例）と、端辺２２ａよりも高い高さに配置された端辺２２ｂ（第４端辺の一例）と、を有している。滴下されたドレン水１１０の流れにおいて、端辺２２ａは平板部２２の下流端に位置し、端辺２２ｂは平板部２２の上流端に位置している。平板部２２は、端辺２２ａ側が低くなるように傾斜している。端辺２２ｂは、平板部２１の端辺２１ａの上方に位置している。平板部２２の端辺２２ａと平板部２１の端辺２１ｂとが接続されることにより、平板部２２と平板部２１とは角部を介して接続される。
【００１７】
平板部２３は、平板部２２の端辺２２ｂに接続された端辺２３ａと、端辺２３ａよりも高い高さに配置された端辺２３ｂと、を有している。滴下されたドレン水１１０の流れにおいて、端辺２３ａは平板部２３の下流端に位置し、端辺２３ｂは平板部２３の上流端に位置している。平板部２３は、端辺２３ａ側が低くなるように傾斜している。端辺２３ｂは、平板部２２の端辺２２ａの上方に位置している。平板部２３の端辺２３ａと平板部２２の端辺２２ｂとが接続されることにより、平板部２３と平板部２２とは角部を介して接続される。
【００１８】
平板部２４は、平板部２３の端辺２３ｂに接続された端辺２４ａと、端辺２４ａよりも高い高さに配置された端辺２４ｂと、を有している。滴下されたドレン水１１０の流れにおいて、端辺２４ａは平板部２４の下流端に位置し、端辺２４ｂは平板部２４の上流端に位置している。平板部２４は、端辺２４ａ側が低くなるように傾斜している。端辺２４ｂは、平板部２３の端辺２３ａの上方に位置している。平板部２４の端辺２４ａと平板部２３の端辺２３ｂとが接続されることにより、平板部２４と平板部２３とは角部を介して接続される。
【００１９】
平板部２５は、平板部２４の端辺２４ｂに接続された端辺２５ａと、端辺２５ａよりも高い高さに配置された端辺２５ｂと、を有している。滴下されたドレン水１１０の流れにおいて、端辺２５ａは平板部２５の下流端に位置し、端辺２５ｂは平板部２５の上流端に位置している。平板部２５は、端辺２５ａ側が低くなるように傾斜している。端辺２５ｂは、平板部２４の端辺２４ａの上方に位置している。平板部２５の端辺２５ａと平板部２４の端辺２４ｂとが接続されることにより、平板部２５と平板部２４とは角部を介して接続される。
【００２０】
平板部２６は、平板部２５の端辺２５ｂに接続された端辺２６ａと、端辺２６ａよりも高い高さに配置された端辺２６ｂと、を有している。滴下されたドレン水１１０の流れにおいて、端辺２６ａは平板部２６の下流端に位置し、端辺２６ｂは平板部２６の上流端に位置している。平板部２６は、端辺２６ａ側が低くなるように傾斜している。端辺２６ｂは、平板部２５の端辺２５ａの上方に位置している。平板部２６の端辺２６ａと平板部２５の端辺２５ｂとが接続されることにより、平板部２６と平板部２５とは角部を介して接続される。
【００２１】
最も上方に配置されている平板部２７は、平板部２６の端辺２６ｂに接続された端辺２７ａと、端辺２７ａよりも高い高さに配置された端辺２７ｂと、を有している。滴下されたドレン水１１０の流れにおいて、端辺２７ａは平板部２７の下流端に位置し、端辺２７ｂは平板部２７の上流端に位置している。平板部２７は、端辺２７ａ側が低くなるように傾斜している。端辺２７ｂは、平板部２６の端辺２６ａの上方に位置している。端辺２７ｂは、蒸発板２０の上端部となる。平板部２７の上面には、上方からドレン水１１０が滴下される。つまり、平板部２７は、ドレン水１１０が滴下される滴下領域を上面に有している。滴下領域の位置は、平板部２７の上面であればどこであってもよい。
【００２２】
支持部材３０は、図２において蒸発板２０の左側に配置されている。支持部材３１は、図２において蒸発板２０の右側に配置されており、支持部材３０との間に蒸発板２０を挟んでいる。支持部材３０、３１によって、蒸発板２０の上端部、下端部及び複数の角部が支持されている。支持部材３０、３１はいずれも、蒸発皿１０上に設置されている。
【００２３】
図３は、本実施の形態に係るドレン水蒸発装置１の支持部材３０の一部の構成を示す斜視図である。図３に示すように、支持部材３０は、上下方向に長い平板状の形状を有している。支持部材３０の一方の側面３０ａには、三角形状又は台形状の複数の切欠き３２が、上下方向に一定の間隔で形成されている。切欠き３２のそれぞれには、蒸発板２０の上端部、下端部又は１つの角部が挿入される。
【００２４】
支持部材３１は、切欠き３２が上下方向に半ピッチ分ずれて配列していることを除き、支持部材３０と同様の構成を有している。
【００２５】
支持部材３０、３１によって蒸発板２０が支持されることによって、蒸発板２０が補強されるとともに蒸発板２０の蛇腹のピッチが維持される。支持部材３０、３１はいずれも、蒸発板２０よりも親水性の低い材質、又は蒸発板２０よりも吸水性の低い材質で形成されている。これにより、上方から滴下されて蒸発板２０により導かれるべきドレン水が、支持部材３０又は支持部材３１に沿って短絡して流れ落ちてしまうのを防ぐことができる。支持部材３０、３１は、図２の紙面に垂直な方向に複数組設けられていてもよい。
【００２６】
次に、本実施の形態に係るドレン水蒸発装置１の動作について説明する。ドレン水１１０が蒸発板２０の平板部２７に滴下されると、滴下されたドレン水は平板部２７に吸水される。平板部２７に吸水されたドレン水は、蒸発板２０に沿って徐々に下方に導かれ、平板部２７、２６、２５、２４、２３、２２、２１により形成される長い経路を蛇行する。これにより、ドレン水が滴下される位置から蒸発皿１０までのドレン水の経路長を長くできるため、ドレン水が滴下されてから蒸発皿１０に達するまでの時間を長くすることができる。したがって、ドレン水の大部分を蒸発皿１０に達するまでに効率良く蒸発させることができる。蒸発板２０で蒸発せずに蒸発皿１０に達したドレン水は、蒸発皿１０に一旦溜められ、毛細管現象により蒸発板２０に吸い上げられる。これにより、蒸発皿１０に達したドレン水も蒸発させることができる。
【００２７】
蒸発板２０の親水性は、経年劣化等により低下してしまう場合がある。蒸発板２０の親水性が低下した場合、表面張力の減少により蒸発板２０の吸水性も低下する。蒸発板２０の吸水性が低下すると、蒸発皿１０のドレン水が蒸発板２０に吸い上げられにくくなる。しかしながら、本実施の形態では、ドレン水が滴下される位置から蒸発皿１０までのドレン水の経路長を長くできるため、ドレン水が滴下されてから蒸発皿１０に達するまでの時間を長くすることができる。したがって、蒸発板２０の吸水性の低下により蒸発皿１０のドレン水が吸い上げられにくくなったとしても、ドレン水が滴下されてから蒸発皿１０に達するまでにドレン水の大部分を効率良く蒸発させることができる。
【００２８】
また、蒸発板２０の親水性又は吸水性が低下すると、平板部２７に滴下されたドレン水の一部は、平板部２７に吸水されずに平板部２７、２６、２５、２４、２３、２２、２１のそれぞれ上面又は下面に沿って流れてしまう場合がある。しかしながら、本実施の形態では、このような場合であっても、ドレン水の経路長を長くできることから、ドレン水が滴下されてから蒸発皿１０に達するまでの時間を長くすることができる。したがって、ドレン水を効率良く蒸発させることができる。すなわち、本実施の形態によれば、蒸発板２０の親水性又は吸水性の低下による影響を受けにくいドレン水蒸発装置１を実現することができる。
【００２９】
以上説明したように、本実施の形態に係るドレン水蒸発装置１は、蒸発皿１０と、蒸発皿１０上であってドレン水の滴下位置に設置される蒸発板２０と、を備えている。蒸発板２０は、平板部２１（第１平板部の一例）と、鉛直方向に見て平板部２１の少なくとも一部と重なるように平板部２１の上方に配置された平板部２２（第２平板部の一例）と、を有している。平板部２１は、蒸発皿１０の底部１１に接触する端辺２１ａ（第１端辺の一例）と、端辺２１ａよりも高い高さに配置された端辺２１ｂ（第２端辺の一例）と、を有している。平板部２２は、平板部２１の端辺２１ｂに接続された端辺２２ａ（第３端辺の一例）と、端辺２２ａと同じ高さ又は端辺２２ａよりも高い高さに配置された端辺２２ｂ（第４端辺の一例）と、を有している。
【００３０】
この構成によれば、滴下されたドレン水は、蒸発板２０の少なくとも平板部２２及び平板部２１を通って蒸発皿１０に達する。これにより、滴下されたドレン水が蒸発皿１０に達するまでの時間を長くすることができる。したがって、蒸発板２０の吸水性が低下したとしても、滴下されたドレン水が蒸発皿１０に達するまでにドレン水を効率良く蒸発させることができる。
【００３１】
また、本実施の形態に係るドレン水蒸発装置１は、蒸発板２０を支持する支持部材３０、３１をさらに備えている。支持部材３０、３１は、蒸発板２０よりも親水性の低い材質で形成されている。この構成によれば、滴下されたドレン水が支持部材３０、３１に沿って流れ落ちてしまうのを防ぐことができる。
【００３２】
また、本実施の形態に係るドレン水蒸発装置１では、隣接する２つの平板部同士が鋭角の角部を介して接続されているため、蒸発板２０の占有体積を小さくしつつ蒸発板２０の表面積を大きくすることができる。
【００３３】
実施の形態２．
本発明の実施の形態２に係るドレン水蒸発装置について説明する。図４は、本実施の形態に係るドレン水蒸発装置１の構成を示す断面図である。なお、実施の形態１と同一の機能及び作用を有する構成要素については、同一の符号を付してその説明を省略する。
【００３４】
図４に示すように、平板部２２には、当該平板部２２を厚み方向に貫通した１つ又は複数の開口部２２ｃが形成されている（図４では、４つの開口部２２ｃを示している）。開口部２２ｃは、平板部２２の端辺２２ａと端辺２２ｂとの間の中間部よりも端辺２２ａ寄り（例えば、端辺２２ａに隣接する部分）に形成されている。同様に、平板部２３、２４、２５、２６、２７には、当該平板部を厚み方向に貫通した１つ又は複数の開口部２３ｃ、２４ｃ、２５ｃ、２６ｃ、２７ｃがそれぞれ形成されている。開口部２３ｃ、２４ｃ、２５ｃ、２６ｃ、２７ｃは、端辺２３ａ、２４ａ、２５ａ、２６ａ、２７ａと端辺２３ｂ、２４ｂ、２５ｂ、２６ｂ、２７ｂとの間の中間部よりも端辺２３ａ、２４ａ、２５ａ、２６ａ、２７ａ寄りに形成されている。これらの開口部２２ｃ、２３ｃ、２４ｃ、２５ｃ、２６ｃ、２７ｃのそれぞれは、各平板部の上面側から下面側にドレン水が通り抜けられるように形成されている。最も下方に配置されている平板部２１には、開口部２２ｃ、２３ｃ、２４ｃ、２５ｃ、２６ｃ、２７ｃのような開口部は形成されていない。
【００３５】
平板部２７に開口部２７ｃが形成されている理由について説明する。実施の形態１のような構成では、平板部２７の親水性が低下すると、平板部２７に滴下されたドレン水の一部は、平板部２７に吸収されずに平板部２７の上面に沿って流れてしまう場合がある。この場合、平板部２７の端辺２７ａに達したドレン水の一部は、平板部２６に沿って流れずに、支持部材３０に沿って蒸発皿１０に流れ落ちてしまうおそれがある。このため、平板部２７よりも下方に吸水可能な平板部が存在したとしても、その平板部にドレン水を供給するのが困難になる。したがって、ドレン水を必ずしも効率良く蒸発させることができない場合がある。
【００３６】
しかしながら、本実施の形態では、平板部２７の上面に沿って流れるドレン水を、開口部２７ｃを介して下方の平板部２６に流すことができる。このため、平板部２７の親水性が低下したとしても、平板部２７よりも下方の平板部にドレン水を供給することができる。また、開口部２７ｃは、端辺２７ａと端辺２７ｂとの間の中間部よりも端辺２７ａ寄りに形成されているため、ドレン水の経路はほとんど短縮されない。したがって、ドレン水をより効率良く蒸発させることができる。
【００３７】
ここでは、平板部２７に開口部２７ｃが形成されている理由について説明したが、平板部２２、２３、２４、２５、２６にそれぞれ開口部２２ｃ、２３ｃ、２４ｃ、２５ｃ、２６ｃが形成されている理由も同様である。
【００３８】
以上説明したように、本実施の形態に係るドレン水蒸発装置１において、平板部２２（第２平板部の一例）には、当該平板部２２を厚み方向に貫通した開口部２２ｃが形成されている。この構成によれば、平板部２２の親水性が低下したとしても、平板部２２の上面に沿って流れるドレン水を開口部２２ｃを介して下方の平板部２１に流すことができる。したがって、本実施の形態によれば、ドレン水をより効率良く蒸発させることができる。
【００３９】
実施の形態３．
本発明の実施の形態３に係るドレン水蒸発装置について説明する。図５は、本実施の形態に係るドレン水蒸発装置１の構成を示す断面図である。なお、実施の形態１と同一の機能及び作用を有する構成要素については、同一の符号を付してその説明を省略する。
【００４０】
図５に示すように、蒸発板２０は、複数の平板部２１、２２、２３、２４、２５、２６、２７と、平板部２１、２２、２３、２４、２５、２６、２７に対して概ね左右対称の構成を有する複数の平板部４１、４２、４３、４４、４５、４６、４７と、を有している。平板部４１は平板部２１と交差しており、平板部４２は平板部２２と交差している。同様に、平板部４３、４４、４５、４６、４７は、平板部２３、２４、２５、２６、２７とそれぞれ交差している。
【００４１】
図６は、本実施の形態に係るドレン水蒸発装置１の蒸発板２０における平板部２１及び平板部４１の構成を示す上面図である。図６に示すように、平板部２１のうち端辺２１ａと端辺２１ｂとの間の中央部には、スリット２１ｄ（第１スリットの一例）が形成されている。スリット２１ｄは、平板部２１の図６中の下方の側端辺２１ｅから切り欠かれており、図６中の上方の側端辺２１ｆに向かって端辺２１ａ及び端辺２１ｂと平行に延びている。スリット２１ｄの長さは、平板部２１の幅寸法（すなわち、側端辺２１ｅと側端辺２１ｆとの間の距離）の半分程度である。
【００４２】
平板部４１（第３平板部の一例）は、蒸発皿１０の底部１１に接触する端辺４１ａ（第５端辺の一例）と、端辺４１ａよりも高い高さに配置された端辺４１ｂ（第６端辺の一例）と、を有している。平板部４１のうち端辺４１ａと端辺４１ｂとの間の中央部には、スリット４１ｄ（第１スリットの他の例）が形成されている。スリット４１ｄは、平板部４１の図６中の上方の側端辺４１ｆから切り欠かれており、図６中の下方の側端辺４１ｅに向かって端辺４１ａ及び端辺４１ｂと平行に延びている。スリット４１ｄの長さは、平板部４１の幅寸法（すなわち、側端辺４１ｅと側端辺４１ｆとの間の距離）の半分程度である。
【００４３】
平板部２１と平板部４１とは、スリット２１ｄ、４１ｄを介して互いに交差するように噛み合わされている。
【００４４】
図５に戻り、平板部２２のうち端辺２２ａと端辺２２ｂとの間の中央部には、スリット２１ｄと同様の形状を有するスリット２２ｄ（第２スリットの一例）が形成されている。
【００４５】
平板部４２（第４平板部の一例）は、平板部４１の端辺４１ｂに接続された端辺４２ａ（第７端辺の一例）と、端辺４２ａよりも高い高さに配置された端辺４２ｂ（第８端辺の一例）と、を有している。平板部４２のうち端辺４２ａと端辺４２ｂとの間の中央部には、スリット４１ｄと同様の形状を有するスリット（図示せず）が形成されている。
【００４６】
平板部２２と平板部４２とは、平板部２２に形成されたスリット２２ｄ及び平板部４２に形成されたスリットを介して、互いに交差するように噛み合わされている。
【００４７】
同様に、平板部２３、２４、２５、２６、２７のうち端辺２３ａ、２４ａ、２５ａ、２６ａ、２７ａと端辺２３ｂ、２４ｂ、２５ｂ、２６ｂ、２７ｂとの間の中央部には、それぞれ、スリット２１ｄと同様の形状を有するスリット２３ｄ、２４ｄ、２５ｄ、２６ｄ、２７ｄが形成されている。
【００４８】
平板部４３、４４、４５、４６、４７のうち端辺４３ａ、４４ａ、４５ａ、４６ａ、４７ａと端辺４３ｂ、４４ｂ、４５ｂ、４６ｂ、４７ｂとの間の中央部には、それぞれ、スリット４１ｄと同様の形状を有するスリット（図示せず）が形成されている。
【００４９】
平板部２３と平板部４３とは、平板部２３に形成されたスリット２３ｄ及び平板部４３に形成されたスリットを介して、互いに交差するように噛み合わされている。平板部２４と平板部４４とは、平板部２４に形成されたスリット２４ｄ及び平板部４４に形成されたスリットを介して、互いに交差するように噛み合わされている。平板部２５と平板部４５とは、平板部２５に形成されたスリット２５ｄ及び平板部４５に形成されたスリットを介して、互いに交差するように噛み合わされている。平板部２６と平板部４６とは、平板部２６に形成されたスリット２６ｄ及び平板部４６に形成されたスリットを介して、互いに交差するように噛み合わされている。平板部２７と平板部４７とは、平板部２７に形成されたスリット２７ｄ及び平板部４７に形成されたスリットを介して、互いに交差するように噛み合わされている。
【００５０】
蒸発板２０の各平板部２１、２２、２３、２４、２５、２６、２７、４１、４２、４３、４４、４５、４６、４７は、支持部材３３によって支持されている。支持部材３３は、図５中において平板部２１、２２、２３、２４、２５、２６、２７、４１、４２、４３、４４、４５、４６、４７の手前側又は奥側の一方に設けられている。支持部材３３が奥側に設けられる場合、支持部材３３は、平板部２１、２２、２３、２４、２５、２６、２７のそれぞれの両端辺間の中央部を支持している。これにより、平板部２１、２２、２３、２４、２５、２６、２７は、支持部材３３によって直接支持される。平板部４１、４２、４３、４４、４５、４６、４７は、平板部２１、２２、２３、２４、２５、２６、２７とそれぞれ噛み合わされているため、支持部材３３によって間接的に支持される。
【００５１】
図７は、本実施の形態に係るドレン水蒸発装置１の支持部材３３の一部の構成を示す斜視図である。図７に示すように、支持部材３３は、上下方向に長い平板状の形状を有している。支持部材３３の一方の側面３３ａには、長方形状の複数の切欠き３４が、上下方向に一定の間隔で形成されている。切欠き３４のそれぞれには、平板部２１、２２、２３、２４、２５、２６、２７のそれぞれの中央部が挿入される。
【００５２】
以上説明したように、本実施の形態に係るドレン水蒸発装置１では、蒸発板２０は、平板部４１（第３平板部の一例）と、鉛直方向に見て平板部４１の少なくとも一部と重なるように平板部４１の上方に配置された平板部４２（第４平板部の一例）と、をさらに有している。平板部４１は、蒸発皿１０の底部１１に接触する端辺４１ａ（第５端辺の一例）と、端辺４１ａよりも高い高さに配置された端辺４１ｂ（第６端辺の一例）と、を有している。平板部４２は、端辺４１ｂに接続された端辺４２ａ（第７端辺の一例）と、端辺４２ａよりも高い高さに配置された端辺４２ｂ（第８端辺の一例）と、を有している。平板部２１及び平板部４１は、平板部２１及び平板部４１の少なくとも一方に形成されたスリット２１ｄ、４１ｄ（第１スリットの一例）を介して互いに交差している。平板部２２及び平板部４２は、平板部２２及び平板部４２の少なくとも一方に形成されたスリット２２ｄ（第２スリットの一例）を介して互いに交差している。
【００５３】
実施の形態１では、蛇腹のピッチを維持するために、蒸発板２０を挟んで２つの支持部材３０、３１が必要となる場合がある。これに対し、本実施の形態では、１つの支持部材３３によって蒸発板２０の蛇腹のピッチを維持できる。したがって、本実施の形態によれば、ドレン水蒸発装置１の部品コストを低減することができる。
【００５４】
また、実施の形態１では、蒸発板２０の占有体積を維持しつつ蒸発板２０の表面積をさらに大きくするためには、蒸発板２０の折曲げ角度を小さくする必要がある。しかしながら、蒸発板２０の折曲げ角度を小さくすると、角部近傍で平板部同士が近接してしまうため、ドレン水の蒸発効率が低下する場合がある。これに対し、本実施の形態では、実施の形態１と比較すると、蒸発板２０の折曲げ角度を維持しつつ、蒸発板２０の表面積を大きくすることができる。したがって、本実施の形態によれば、ドレン水をより効率良く蒸発させることができる。
【符号の説明】
【００５５】
１  ドレン水蒸発装置、１０  蒸発皿、１１  底部、２０  蒸発板、２１、２２、２３、２４、２５、２６、２７  平板部、２１ａ、２１ｂ、２２ａ、２２ｂ、２３ａ、２３ｂ、２４ａ、２４ｂ、２５ａ、２５ｂ、２６ａ、２６ｂ、２７ａ、２７ｂ  端辺、２１ｄ、２２ｄ、２３ｄ、２４ｄ、２５ｄ、２６ｄ、２７ｄ  スリット、２１ｅ、２１ｆ  側端辺、２２ｃ、２３ｃ、２４ｃ、２５ｃ、２６ｃ、２７ｃ  開口部、３０、３１  支持部材、３０ａ  側面、３２  切欠き、３３  支持部材、３３ａ  側面、３４  切欠き、４１、４２、４３、４４、４５、４６、４７  平板部、４１ａ、４１ｂ、４２ａ、４２ｂ、４３ａ、４３ｂ、４４ａ、４４ｂ、４５ａ、４５ｂ、４６ａ、４６ｂ、４７ａ、４７ｂ  端辺、４１ｄ  スリット、４１ｅ、４１ｆ  側端辺、１０１  熱交換器、１０２  ドレンパン、１０３  排水口、１０４  ドレンホース、１０４ａ  出口、１１０  ドレン水。
【図１】
2018087659.tif 000003
【図２】
2018087659.tif 000004
【図３】
2018087659.tif 000005
【図４】
2018087659.tif 000006
【図５】
2018087659.tif 000007
【図６】
2018087659.tif 000008
【図７】
2018087659.tif 000009